(57)【特許請求の範囲】
【請求項１】
機器を収納する箱の外側部材に、運搬時に人が装着するベルトに差し込むためのＵの字状の引っかけ部がミシン目をもって形成され、かつ、前記引っかけ部の先端部に前記引っかけ部をミシン目に沿って切り離すために人の指を挿入する挿入部がミシン目で形成されることを特徴とする機器携帯包装箱。
【請求項２】
前記請求項１記載の機器携帯包装箱に、複数の機器を取り付け順に取り出すための、複数の機器を区分けして収納する当て板を設けることを特徴とする機器携帯包装箱。
【発明の詳細な説明】
【０００１】
【発明の属する技術分野】
本発明は、工事現場で脚立を上がり、その取り付け場所に壁取付電子機器を運ぶための機器携帯包装箱に関する。
【０００２】
【従来の技術】
従来、例えば、パーソナルハンディホン（ＰＨＳ）送受信基地局用の壁取付電子機器は運搬時の破損などを避けるため、ダンボール箱に収納されている。
【０００３】
図７は従来の壁取付電子機器などを収容する機器包装箱の構成を示す斜視図であり、図８は従来の壁取付電子機器などを収容する他の機器包装箱の構成を示す斜視図である。図７及び図８において、この機器包装箱１は、収納部２の一方に開閉自在な蓋３が設けられており、この蓋３の端部３ａを、収納部２の内側に差し込んでいる。このような機器包装箱１に収納されている壁取付電子機器４は、取り付け工事現場で壁の所定位置に固定されるが、この場合、まず、所定の高さ位置に工事者が脚立などに上って壁取付電子機器４を固定するためのビスを取り付ける。そして、脚立を降りて機器包装箱１に収納されている壁取付電子機器４を取り出して、再度、脚立に上って、予め取り付けたビスを利用して壁に固定している。
【０００４】
【発明が解決しようとする課題】
しかし、上記従来例では、壁取付電子機器４を壁の所定位置に固定する場合、ビスの取り付け及び壁取付電子機器４の取り付けのため、工事者が脚立に最低２度上り降りする必要がある。この場合、ビスの取り付け時に、適当なカゴなどに壁取付電子機器４を収納して持ち上げることも出来るが、工事者の手がふさがれてしまうため、作業が容易に出来なくなるという欠点がある。
【０００５】
本発明は、このような従来の技術における課題を解決するものであり、工事現場での取り付け場所に、その工事に支障をきたすことなく、工事者が壁取付電子機器を容易かつ確実に運ぶことが出来る優れた機器携帯包装箱を提供する。
【０００６】
【課題を解決するための手段】
上記課題を達成するために、本発明は機器を収納する箱の外側部材に運搬時に人のベルトに差し込むためのＵの字状の引っかけ部がミシン目をもって形成している。また、運搬時に身体に装着して運ぶための紐を備えると共に、複数の機器を取り付け順に取り出すために複数の機器を区分けして収納する当て板を設けて、工事現場での取り付け場所に、その工事に支障をきたすことなく、工事者が壁取付電子機器を容易かつ確実に運ぶことが出来るようしている。
【０００７】
【発明の実施の形態】
本発明の機器携帯包装箱は、機器を収納する箱の外側部材に運搬時に、人が装着したベルトに差し込むためのＵの字状の引っかけ部がミシン目をもって形成され、かつ、前記引っかけ部の先端部に前記引っかけ部をミシン目に沿って切り離すために人の指を挿入する挿入部がミシン目で形成されるものであり、壁取付電子機器を壁の所定位置に固定する際に工事者が脚立を、従前の説明のようにビスの取り付け及び壁取付電子機器を運ぶという、二度の上り降りが必要なく、一度ですむようになる。この際、機器包装箱を工事者の腰のベルトを利用して運ぶため、脚立への上りが容易に出来るようになり、工事者の手がふさがれずに、その工事に支障をきたすことなく、工事者が壁取付電子機器を容易かつ確実に運ぶことが出来るようになる。
【０００８】
また、本発明の機器携帯包装箱は、機器を収納する箱の外側部材に運搬時に身体に装着して運ぶための紐を備えるものであり、この場合も機器包装箱の紐を工事者の肩などに掛けて運ぶため、脚立への上りが容易に出来るようになり、工事者の手がふさがれずに、その工事に支障をきたすことなく、工事者が壁取付電子機器を容易かつ確実に運ぶことが出来るようになる。
【０００９】
さらに、本発明の機器携帯包装箱は、前記の機器携帯包装箱に、複数の機器を取り付け順に取り出すために、複数の機器を区分けして収納する当て板を備えるものであり、脚立などの上って行う工事が容易に行われる。
【００１０】
次に、本発明の機器携帯包装箱の実施形態を図面を参照して詳細に説明する。
図１は本発明の機器携帯包装箱の第１実施形態の構成を示す斜視図であり、図２は収納部内に設けられる当て板を示す斜視図である。図１及び図２において、この第１実施形態例の機器包装箱１１は、収納部１２の一方に開閉自在な蓋１３が設けられている。収納部１２内に図示しない壁取付電子機器を収納して、蓋１３の折曲端部１３ａを収納部１２内に差し込んでいる。また、収納部１２内には以降で説明するように内部に収納を行う際に用いる当て板１４が設けられている。この当て板１４は図２に示すように人の指が挿入される孔１４ａと折返部１４ｂ，１４ｃを有している。また、収納部１２の一方の面に、以降で説明するように工事者のベルとに差し込んで、機器包装箱１１に収納した壁取付電子機器を工事現場の位置に持ち上げるためのＵの字状の引っかけ部１５がミシン目１５ａをもって形成されている。さらに引っかけ部１５の先端部に、この引っかけ部１５をミシン目１５ａに沿って切り離すために人の指を容易に挿入するための挿入部１６がミシン目１６ａで形成されている。
【００１１】
次に、この第１実施形態の機能について説明する。
図３は機器包装箱１１を工事者が運ぶ状態を示す図である。図１、図２及び図３において、機器包装箱１１に収納される壁取付電子機器は、取り付け工事現場で脚立の上まで工事者が、その腰のベルトＢに引っかけ部１５を差し込んで運び上げて、壁の所定位置に固定される。この場合、まず、工事者は脚立に上る前に、収納部１２の一方の面に形成された挿入部１６にミシン目１６ａを破って人の指を挿入する。この際、人の指が当て板１４の孔１４ａに挿通されるため、挿入部１６への人の指が容易に挿入される。次に、Ｕの字状の引っかけ部１５を人の指で引き上げ、ミシン目１５ａに沿って切り離す。この後、図１に示すように引っかけ部１５を工事者の腰のベルトＢに差し込む。そして、所定の高さの位置に工事者が脚立を上って壁取付電子機器を固定するためのビスを取り付ける。この後、機器包装箱１１に収納されている壁取付電子機器を取り出し、取り付けたビスを利用して壁に固定している。
【００１２】
以上のように、この第１実施形態では、壁取付電子機器を壁の所定位置に固定する際に工事者が脚立を、ビスの取り付け及び壁取付電子機器を運ぶという、二度の上り降りが必要なく、一度ですむようになる。この際、機器包装箱１１を工事者の腰のベルトＢを利用して運ぶため、脚立への上りが容易に出来るようになり、工事者の手がふさがれずに、その工事に支障をきたすことなく、工事者が壁取付電子機器を容易かつ確実に運ぶことが出来るようになる。
【００１３】
図４は、第２実施形態の構成を示す斜視図である。図４において、この第２実施形態では、図１の第１実施形態で示した機器包装箱１１内に、ビス２０ａ，２０ｂを発砲スチロールなどに装着し、また、当て板１４内に壁取付電子機器２１を収納して、壁への取り付け順に取り出せるようにしている。
【００１４】
以上のように、この第２実施形態では、ビス２０ａ，２０ｂを最初に取り出せるように、その位置に収納し、壁取付電子機器２１を、次に取り出す位置に収納しているため、脚立を上った位置での取付工事が容易になる。
【００１５】
図５は第３実施形態の構成を示す斜視図である。図５において、この第３実施形態は、図１に示す第１実施形態、及び、図４に示す第２実施形態における機器包装箱１１の上部両側に工事者の肩に引っかけて運ぶための紐２２が設けられている。
【００１６】
図６は第３実施形態における機器包装箱１１を工事者が運ぶ状態を示す図である。図６において、工事者は、脚立に上る場合、紐２２を工事者の前肩に引っかけて機器包装箱１１ごと壁取付電子機器２１を運び上げ、その取り付け工事を行う。
【００１７】
以上のように、この第３実施形態では、第１実施形態と同様に一度で壁の所定位置に運び上げることが出来る。この際、機器包装箱１１を工事者の腰のベルトＢを利用して運ぶため、脚立への上りが容易に出来るようになり、工事者の手がふさがれてしまうことなく、その工事に支障をきたすことなく、工事者が壁取付電子機器を容易かつ確実に運ぶことが出来るようになる。
【００１８】
【発明の効果】
以上のように、本発明によれば、機器を収納する箱の外側部材に運搬時に人のベルトに差し込むためのＵの字状の引っかけ部をミシン目をもって形成し、かつ、運搬時に身体に装着して運ぶための紐を備えると共に、複数の機器を取り付け順に取り出すために複数の機器を区分けして収納する当て板を設けている。これにより、工事現場での取り付け場所に、その工事に支障をきたすことなく、工事者が壁取付電子機器を容易かつ確実に運ぶことが出来るようになる。
【図面の簡単な説明】
【図１】本発明の機器携帯包装箱の第１実施形態の構成を示す斜視図
【図２】第１実施形態にあって収納部内に設けられる当て板を示す斜視図
【図３】第１実施形態にあって機器包装箱を工事者が運ぶ状態を示す図
【図４】第２実施形態の構成を示す斜視図
【図５】第３の実施形態の構成を示す斜視図
【図６】第３実施形態における機器包装箱を工事者が運ぶ状態を示す図
【図７】従来の壁取付電子機器などを収容する機器包装箱の構成を示す斜視図
【図８】従来の壁取付電子機器などを収容する他の機器包装箱の構成を示す斜視図
【符号の説明】
１１  機器包装箱
１２  収納部
１３  蓋
１３ａ  折曲端部
１４  当て板
１４ａ  孔
１４ｂ，１４ｃ  折返部
１５  引っかけ部
１５ａ  ミシン目
１６  挿入部
１６ａ  ミシン目
２０ａ，２０ｂ  ビス
２１  壁取付電子機器
２２  紐
Ｂ  ベルト
【図１】
0003620139.tif 000002
【図２】
0003620139.tif 000003
【図３】
0003620139.tif 000004
【図４】
0003620139.tif 000005
【図５】
0003620139.tif 000006
【図６】
0003620139.tif 000007
【図７】
0003620139.tif 000008
【図８】
0003620139.tif 000009